【手続補正書】
【提出日】平成19年11月22日(2007.11.22)
【手続補正１】
【補正対象書類名】明細書
【補正対象項目名】特許請求の範囲
【補正方法】変更
【補正の内容】
【特許請求の範囲】
【請求項１】  ネットワークに接続可能な移動通信システムの基地局に無線接続し、表示
部にネットワークから取得する情報を表示する無線通信端末において、  前記表示部は、
端末の状態表示を行う第１の表示領域と、
端末本体の機能設定又はキーの機能割り当てを表示する第２の表示領域と、
前記ネットワークから取得する情報を表示する第３の表示領域と
を具備し、
前記第１の表示領域、または、前記第２の表示領域を前記第３の表示領域の１部として
割り当てる割り当て手段と
を具備することを特徴とする無線通信端末。
【請求項２】  割り当て手段は、表示部のスクロールに応じて、第１の表示領域、または
、前記第２の表示領域を前記第３の表示領域の１部として割り当てることを特徴とする請
求項１記載の無線通信端末。
【請求項３】  割り当て手段は、表示部のスクロールの方向に応じて、第１の表示領域あ
るいは第２の表示領域いずれかに割り当てることを特徴とする請求項２記載の無線通信端
末。
【請求項４】  割り当て手段は、第１の表示領域、または、前記第２の表示領域を消去し
、前記第３の表示領域を拡張することで割り当てることを特徴とする請求項２記載の無線
通信端末。
【請求項５】  割り当て手段は、第１の表示領域、または、第２の表示領域を、時間制限
を設けて消去することを特徴とする請求項１記載の無線通信端末。
【請求項６】  第１の表示領域に表示される情報が表示されていない状態において、端末
の状態表示に変化が生じた場合、前記第１の表示領域に端末の状態を表示する表示制御手
段を具備することを特徴とする請求項１記載の無線通信端末。
【請求項７】  第２の表示領域に表示される情報が表示されていない状態において、端末
のキー入力が生じた場合、前記第２の表示領域にキーの機能割り当てに関する情報を表示
し、キーの機能割り当てを通知する通知手段を具備することを特徴とする請求項１記載の
無線通信端末。
【請求項８】  表示部のスクロールの際、端末のカーソルの位置は第３の表示領域の中間
に配置することを特徴とする請求項２あるいは請求項３記載の無線通信端末。
【手続補正２】
【補正対象書類名】明細書
【補正対象項目名】０００４
【補正方法】変更
【補正の内容】
【０００４】
【課題を解決するための手段】
上記目的を達成するために、請求項１の発明は、ネットワークに接続可能な移動通信シ
ステムの基地局に無線接続し、表示部にネットワークから取得する情報を表示する無線通
信端末において、前記表示部は、端末の状態表示を行う第１の表示領域と、端末本体の機
能設定、キーの機能割り当てを表示する第２の表示領域と、前記ネットワークから取得す
る情報を表示する第３の表示領域とを具備し、前記第１の表示領域又は前記第２の表示領
域を前記第３の表示領域の１部として割り当てる割り当て手段とを具備するものである。
【手続補正３】
【補正対象書類名】明細書
【補正対象項目名】０００６
【補正方法】変更
【補正の内容】
【０００６】
上記目的を達成するために、請求項３の発明は、請求項２記載の無線通信端末において
、割り当て手段は、表示部のスクロールの方向に応じて、第１の表示領域あるいは第２の
表示領域いずれかに割り当てることを特徴としている。
上記目的を達成するために、請求項４の発明は、請求項２記載の無線通信端末において
、割り当て手段は、第１の表示領域、または、前記第２の表示領域を消去し、前記第３の
表示領域を拡張することで割り当てることを特徴とする請求項２記載の無線通信端末。
【手続補正４】
【補正対象書類名】明細書
【補正対象項目名】０００７
【補正方法】変更
【補正の内容】
【０００７】
上記目的を達成するために、請求項５の発明は、請求項１記載の無線通信端末において
、割り当て手段は、第１の表示領域、または、第２の表示領域を、時間制限を設けて消去
することを特徴としている。
【手続補正５】
【補正対象書類名】明細書
【補正対象項目名】０００８
【補正方法】変更
【補正の内容】
【０００８】
上記目的を達成するために、請求項６の発明は、請求項１記載の無線通信端末において
、第１の表示領域に表示される情報が表示されていない状態において、端末の状態表示に
変化が生じた場合、前記第１の表示領域に端末の状態を表示する表示制御手段を具備する
ことを特徴としている。
【手続補正６】
【補正対象書類名】明細書
【補正対象項目名】０００９
【補正方法】変更
【補正の内容】
【０００９】
上記目的を達成するために、請求項７の発明は、請求項１記載の無線通信端末において
、第２の表示領域に表示される情報が表示されていない状態において、端末のキー入力が
生じた場合、前記第２の表示領域にキーの機能割り当てに関する情報を表示し、キーの機
能割り当てを通知する通知手段を具備することを特徴としている。
【手続補正７】
【補正対象書類名】明細書
【補正対象項目名】００１０
【補正方法】変更
【補正の内容】
【００１０】
上記目的を達成するために、請求項８の発明は、請求項３記載の無線通信端末において
、表示部のスクロールの際、端末のカーソルの位置は第３の表示領域の中間に配置するこ
とを特徴としている。
【手続補正８】
【補正対象書類名】明細書
【補正対象項目名】００４０
【補正方法】変更
【補正の内容】
【００４０】
【発明の効果】
以上述べた様に請求項１の本発明によれば、コンテンツ閲覧時において、コンテンツ表
示領域を拡張するため、LCDのサイズを小型化することが可能であり、
請求項２の本発明によれば、画面スクロールの間、コンテンツ表示領域を拡張するため、
閲覧時よりも一画面に多くのコンテンツ情報を表示することが可能である。
【手続補正９】
【補正対象書類名】明細書
【補正対象項目名】００４１
【補正方法】変更
【補正の内容】
【００４１】
また、請求項３の本発明によれば、画面スクロールの方向に応じて、コンテンツ表示領
域を拡張するため、端末の状態や機能設定等の表示も画面内に残すことが可能である。
【手続補正１０】
【補正対象書類名】明細書
【補正対象項目名】００４２
【補正方法】変更
【補正の内容】
【００４２】
また、請求項５の本発明によれば、コンテンツ閲覧時において端末の状態や機能設定等
の表示を常に表示する必要がないため、コンテンツの表示領域を拡張することが可能であ
る。
【手続補正１１】
【補正対象書類名】明細書
【補正対象項目名】００４３
【補正方法】変更
【補正の内容】
【００４３】
また、請求項６の本発明によれば、端末の状態が変化した場合だけ表示を行うため、そ
れ以外はコンテンツの表示領域に画面を使用することが可能である。
【手続補正１２】
【補正対象書類名】明細書
【補正対象項目名】００４４
【補正方法】変更
【補正の内容】
【００４４】
また、請求項７の本発明によれば、キー入力要求が生じた場合だけ表示を行うため、そ
れ以外はコンテンツの表示領域に画面を使用することが可能である。
【手続補正１３】
【補正対象書類名】明細書
【補正対象項目名】００４５
【補正方法】変更
【補正の内容】
【００４５】
また、請求項８の本発明によれば、第１、第２の表示領域の表示、非表示に関わらず、
カーソルの位置を固定することが可能である。